【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
冷媒を圧縮して吐出する圧縮機（１１）、前記圧縮機から吐出された冷媒を放熱させる放熱器（１２）、冷媒を蒸発させる第１蒸発器（１７）、および冷媒を蒸発させて前記圧縮機の吸入口側へ流出させる第２蒸発器（１８）を有するエジェクタ式冷凍サイクル（１０）に適用されるエジェクタモジュールであって、
前記放熱器から流出した冷媒のうち一部の冷媒を減圧させて噴射するノズル部（５１）と、
前記放熱器から流出した冷媒のうち別の一部の冷媒を減圧させる減圧部（２０ａ）と、
前記ノズル部から噴射された噴射冷媒の吸引作用によって外部から冷媒を吸引する冷媒吸引口（２１ｂ）が形成されたボデー部（２１）と、
前記噴射冷媒と前記冷媒吸引口から吸引された吸引冷媒との混合冷媒を昇圧させる昇圧部（５２）と、
前記減圧部の通路断面積を変化させる減圧側弁体部（６１）と、
前記減圧側弁体部を変位させる減圧側駆動部（６２）と、を備え、
前記減圧部から冷媒を流出させる絞り側出口（２１ｄ）には、前記第１蒸発器の冷媒入口側が接続され、
前記冷媒吸引口には、前記第１蒸発器の冷媒出口側が接続され、
前記昇圧部から冷媒を流出させるエジェクタ側出口（２１ｃ）には、前記第２蒸発器の冷媒入口側が接続され、
前記ノズル部および前記減圧部の少なくとも前記減圧部は、通路断面積を変更可能に構成されており、
前記昇圧部の少なくとも一部は、前記第１蒸発器および前記第２蒸発器の少なくとも一方の内部、あるいは前記第１蒸発器および前記第２蒸発器の少なくとも一方に接続された配管（１９）の内部に収容可能に、前記ボデー部から突出して配置されており、
前記ボデー部には、前記第１蒸発器から流出した冷媒を流通させる吸引側通路（２０ｂ）が形成されており、
前記減圧側駆動部は、前記第１蒸発器から流出した冷媒の温度および圧力に応じて変形する減圧側変形部材（６２ｂ）を有する減圧側感温部（６２ａ）を有しており、
前記減圧側感温部の少なくとも一部は、前記吸引側通路内あるいは前記吸引側通路に連通する空間内に配置されているエジェクタモジュール。
【請求項２】
前記ノズル部の通路断面積を変化させるノズル部側弁体部（５３）と、
前記ノズル部側弁体部を変位させるノズル部側駆動部（５４）と、を備え、
前記ボデー部には、前記第２蒸発器から流出した冷媒を流通させる流出側通路（２０ｃ）が形成されており、
前記ノズル部側駆動部は、前記第２蒸発器から流出した冷媒の温度および圧力に応じて変形するノズル部側変形部材（５４ｂ）を有するノズル部側感温部（５４ａ）を備えており、
前記ノズル部側感温部の少なくとも一部は、前記流出側通路内あるいは前記流出側通路に連通する空間内に配置されている請求項１に記載のエジェクタモジュール。
【請求項３】
前記減圧側駆動部は、前記第１蒸発器出口側冷媒の過熱度が０℃に近づくように、前記減圧側弁体部を変位させるものである請求項１または２に記載のエジェクタモジュール。
【請求項４】
前記ボデー部には、前記放熱器から流出した冷媒を流入させる高圧入口（２１ａ）、前記第２蒸発器から流出した冷媒を前記圧縮機の吸入口側へ導く流出側通路（２０ｃ）、前記流出側通路へ冷媒を流入させる低圧入口（２１ｅ）、および前記流出側通路から冷媒を流出させる低圧出口（２１ｆ）が形成されており、
前記高圧入口、および前記低圧出口は、同一方向に開口しており、
前記エジェクタ側出口、前記低圧入口、前記冷媒吸引口、および前記絞り側出口は、同一方向に開口している請求項１ないし３のいずれか１つに記載のエジェクタモジュール。
【手続補正２】
【補正対象書類名】明細書
【補正対象項目名】発明の名称
【補正方法】変更
【補正の内容】
【発明の名称】エジェクタモジュール
【手続補正３】
【補正対象書類名】明細書
【補正対象項目名】０００１
【補正方法】変更
【補正の内容】
【０００１】
本発明は、エジェクタ式冷凍サイクルに適用されるエジェクタモジュールに関する。
【手続補正４】
【補正対象書類名】明細書
【補正対象項目名】００１４
【補正方法】変更
【補正の内容】
【００１４】
本発明は、上記点に鑑み、適用されたエジェクタ式冷凍サイクルの大型化を招くことなく、通路断面積を変更可能に構成されたエジェクタモジュールを提供することを目的とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
上記目的を達成するため、請求項１に記載の発明は、冷媒を圧縮して吐出する圧縮機（１１）、圧縮機から吐出された冷媒を放熱させる放熱器（１２）、冷媒を蒸発させる第１蒸発器（１７）、および冷媒を蒸発させて圧縮機の吸入口側へ流出させる第２蒸発器（１８）を有するエジェクタ式冷凍サイクル（１０）に適用されるエジェクタモジュールであって、
放熱器から流出した冷媒のうち一部の冷媒を減圧させて噴射するノズル部（５１）と、放熱器から流出した冷媒のうち別の一部の冷媒を減圧させる減圧部（２０ａ）と、ノズル部から噴射された噴射冷媒の吸引作用によって外部から冷媒を吸引する冷媒吸引口（２１ｂ）が形成されたボデー部（２１）と、噴射冷媒と冷媒吸引口から吸引された吸引冷媒との混合冷媒を昇圧させる昇圧部（５２）と、減圧部の通路断面積を変化させる減圧側弁体部（６１）と、減圧側弁体部を変位させる減圧側駆動部（６２）と、を備え、
減圧部から冷媒を流出させる絞り側出口（２１ｄ）には、第１蒸発器の冷媒入口側が接続され、冷媒吸引口には、第１蒸発器の冷媒出口側が接続され、昇圧部から冷媒を流出させるエジェクタ側出口（２１ｃ）には、第２蒸発器の冷媒入口側が接続され、
ノズル部および減圧部の少なくとも減圧部は、通路断面積を変更可能に構成されており、昇圧部の少なくとも一部は、第１蒸発器および第２蒸発器の少なくとも一方の内部、あるいは第１蒸発器および第２蒸発器の少なくとも一方に接続された配管（１９）の内部に収容可能に、ボデー部から突出して配置されており、
ボデー部には、第１蒸発器から流出した冷媒を流通させる吸引側通路（２０ｂ）が形成されており、減圧側駆動部は、第１蒸発器から流出した冷媒の温度および圧力に応じて変形する減圧側変形部材（６２ｂ）を有する減圧側感温部（６２ａ）を有しており、減圧側感温部の少なくとも一部は、吸引側通路内あるいは吸引側通路に連通する空間内に配置されているエジェクタモジュールである。
【手続補正７】
【補正対象書類名】明細書
【補正対象項目名】００１７
【補正方法】変更
【補正の内容】
【００１７】
これによれば、少なくとも減圧部（２０ａ）の通路断面積を変化させることができる。そして、エジェクタ式冷凍サイクル（１０）の負荷変動に応じて、ノズル部（５１）へ流入する冷媒流量、および減圧部（２０ａ）へ流入する冷媒流量を適切に調整することができる。その結果、負荷変動によらずエジェクタ式冷凍サイクル（１０）に高い成績係数（ＣＯＰ）を発揮させることができる。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】０１３９
【補正方法】変更
【補正の内容】
【０１３９】
図９、図１０から明らかなように、本実施形態のエジェクタモジュール２０では、エジェクタ１５および可変絞り機構１６の位置関係が、実質的に第１実施形態と同様となっている。つまり、ノズル部側中心軸ＣＬ１となるノズル部５１の中心軸と減圧側中心軸ＣＬ２がねじれの位置関係となっており、減圧側中心軸ＣＬ２方向から見たときに、図１０の点ハッチングで示す領域を占める減圧側駆動機構６２とノズル部５１の中心軸が重合するように配置されている。
【手続補正１４】
【補正対象書類名】明細書
【補正対象項目名】０１５３
【補正方法】変更
【補正の内容】
【０１５３】
また、上述の実施形態では、ノズル部側中心軸ＣＬ１（あるいはノズル部５１の中心軸）と減圧側中心軸ＣＬ２とをねじれの位置関係とした例を説明したが、これに限定されない。ディフューザ部５２の少なくとも一部を集合配管１９あるいは第２蒸発器１８内に収容することの小型化効果は、ノズル部側中心軸ＣＬ１と減圧側中心軸ＣＬ２が平行に配置されていても得ることができる。